(57)【要約】【課題】給水タンクを確実に収納して、給水口を取水口へ確実に接続し、加熱装置側へ漏水なく水を供給して加熱装置の加湿機能を良好に発揮させることが可能な給水タンクユニットを提供する。【解決手段】加湿機能を有する加熱装置に取り付けられる給水タンクユニットであって、加熱装置に取り付けたユニット本体から離反する方向に付勢される開閉部材３１と、開閉部材３１に着脱自在に保持される給水タンク１７を備え、給水タンク１７及び開閉部材３１に、給水タンク１７の着脱過程において互いに乗り越えて係止される突起５７ｂ，６５ｂをそれぞれ設けた。【選択図】　図１３
2004093069.tif 000002
【特許請求の範囲】
【請求項１】
加湿機能を有する加熱装置に取り付けられる給水タンクユニットであって、
前記加熱装置に取り付けるユニット本体と、
一方に前記ユニット本体へ開閉自在に支持される支持部、他方に前記ユニット本体に対するロック部を有し、前記ユニット本体から離反する方向に付勢される開閉部材と、
前記ロック部と係合して前記ユニット本体とのロック状態を維持する係合部、及び押下動作によって前記ロック状態を解除する押しボタンを有する操作部材と、
前記開閉部材に着脱自在に保持される給水タンクとを備え、
前記給水タンク及び前記開閉部材には、前記給水タンクの着脱過程において互いに乗り越えて係止される突起がそれぞれ設けられていることを特徴とする給水タンクユニット。
【請求項２】
前記開閉部材には、装着される給水タンクに当接して該給水タンクの着脱動作をガイドするガイド壁を前記給水タンクの装着方向に沿って設けてあることを特徴とする請求項１記載の給水タンクユニット。
【請求項３】
前記給水タンクには、前記開閉部材に当接して該開閉部材内の給水タンク保持位置にガイドするリブを該給水タンクの装着方向に沿って設けてあることを特徴とする請求項１又は請求項２記載の給水タンクユニット。
【請求項４】
前記開閉部材には、装着される給水タンクに当接して該給水タンクの着脱動作をガイドするガイド壁を、前記給水タンクには、前記開閉部材に当接して該開閉部材内の給水タンク保持位置に該給水タンクをガイドするリブを、それぞれ前記給水タンクの装着方向に沿って設け、
前記給水タンクの脱着時に、前記開閉部材のガイド壁と前記給水タンクのリブとが係合しつつスライドすることを特徴とする請求項１記載の給水タンクユニット。
【請求項５】
前記開閉部材が、前記給水タンクの着脱を検出する給水タンク検出手段を備えていることを特徴とする請求項１〜請求項４のいずれか１項記載の給水タンクユニット。
【請求項６】
前記給水タンク検出手段が、
前記開閉部材に設けられ給水タンク装着方向とは逆方向に付勢されると共に、挿入される給水タンクの一部に押し当てられて給水タンクと共にスライド移動する従動部材と、
前記従動部材のスライド移動により可逆的に状態変化するスイッチとを備え、
前記給水タンクが前記開閉部材内に装着された状態と、前記開閉部材から抜かれた状態とを検出することを特徴とする請求項５記載の給水タンクユニット。
【請求項７】
前記給水タンクの前記開閉部材への装着方向後端に、前記開閉部材の前記ユニット本体側への押し込み方向後方に向かって前記装着方向後方に突出長が増加する爪部を設けたことを特徴とする請求項１〜請求項６のいずれか１項記載の給水タンクユニット。
【発明の詳細な説明】
【０００１】
【発明の属する技術分野】
本発明は、加湿機能を有する加熱装置に加湿用の水を供給する給水タンクを収納する給水タンクユニットに関するものである。
【０００２】
【従来の技術】
従来の高周波加熱装置としては、高周波加熱のみの単機能型や高周波加熱に加えて熱風を発生させるコンベクションヒータを備えたコンビネーションレンジ等があり、また、高周波と蒸気とを加熱室に供給可能に構成した高周波加熱装置も検討されている。
加湿機能を付加した高周波加熱装置としては、例えば加熱室外にボイラを設け、このボイラから発生する蒸気を加熱室内に導入する方式等、種々の方式が提案されている（例えば、特許文献１参照）。
このような蒸気発生による加湿機能を付加した高周波加熱装置は、外装に形成した収納スペースに着脱可能な給水タンクを備えており、この給水タンクの水が給水ポンプによってボイラに滴下される。
【０００３】
【特許文献１】
特開平９−１０１０３４号公報（第３頁、図１−２）
【０００４】
【発明が解決しようとする課題】
ところで、最近の高周波加熱装置においては、高周波加熱装置の操作パネルを扉部に配置したり制御回路を底面に配置する等して、加熱室の容積を拡大すると共に装置全体のコンパクト化を図ることが要求されている。
しかしながら、上記のような給水タンクを装置外側に形成した収納スペースに着脱可能とした高周波加熱装置にあっては、給水タンクを着脱可能に設置する大きなスペースが必要であり、加熱室の容積の拡大と共に装置全体のコンパクト化を図ることが困難であった。
【０００５】
そこで、装置の側部における加熱室と外装パネルとの間の狭隘な隙間に給水タンクを収納することが考えられるが、この隙間に給水タンクの収納部を設けると、給水タンクを確実に収納空間内に収納し、且つ給水タンクの給水口を装置側の取水口に確実に接続することが難しく、しかも、取水口に給水口が確実に接続されていることを確認することも困難となり、接続不良による装置内における漏水の生じる恐れもあった。
【０００６】
本発明は、このような従来の問題に鑑みてなされたもので、給水タンクを確実に収納して、給水口を取水口へ確実に接続し、加熱装置側へ漏水なく水を供給して加熱装置の加湿機能を良好に発揮させることが可能な給水タンクユニットを提供することを目的としている。
【０００７】
【課題を解決するための手段】
上記目的を達成するための本発明に係る請求項１記載の給水タンクユニットは、加湿機能を有する加熱装置に取り付けられる給水タンクユニットであって、前記加熱装置に取り付けるユニット本体と、一方に前記ユニット本体へ開閉自在に支持される支持部、他方に前記ユニット本体に対するロック部を有し、前記ユニット本体から離反する方向に付勢される開閉部材と、前記ロック部と係合して前記ユニット本体とのロック状態を維持する係合部、及び押下動作によって前記ロック状態を解除する押しボタンを有する操作部材と、前記開閉部材に着脱自在に保持される給水タンクとを備え、前記給水タンク及び前記開閉部材には、前記給水タンクの着脱過程において互いに乗り越えて係止される突起がそれぞれ設けられていることを特徴とする。
【０００８】
この給水タンクユニットでは、開閉部材へ給水タンクを着脱する際に互いに乗り越えて係止する突起を設けたので、開閉部材への給水タンクの装着を突起同士の係止によって確実に行わせることができると共に、装着状態を確認することができる。これにより、例えば、装置の狭隘な隙間に給水タンクを収納する構造であるために給水タンクの収納及びその確認が難しい場合でも、給水タンクの給水口を加熱装置の取水口へ確実に接続することができ、加熱装置側へ漏水なく水の供給を行い、加熱装置における加湿機能を良好に行わせることができる。
【０００９】
請求項２記載の給水タンクユニットは、前記開閉部材に、装着される給水タンクに当接して該給水タンクの着脱動作をガイドするガイド壁を前記給水タンクの装着方向に沿って設けてあることを特徴とする。
【００１０】
この給水タンクユニットでは、ガイド壁によって給水タンクが装着方向に案内されるので、給水タンクを所定の位置へ確実に装着させることができる。
【００１１】
請求項３記載の給水タンクユニットは、前記給水タンクに、前記開閉部材に当接して該開閉部材内の給水タンク保持位置にガイドするリブを該給水タンクの装着方向に沿って設けてあることを特徴とする。
【００１２】
この給水タンクユニットでは、リブによって給水タンクが給水タンク保持位置にガイドされるので、給水タンクを所定の保持位置に確実に装着させることができる。
【００１３】
請求項４記載の給水タンクユニットは、前記開閉部材に、装着される給水タンクに当接して該給水タンクの着脱動作をガイドするガイド壁を、前記給水タンクには、前記開閉部材に当接して該開閉部材内の給水タンク保持位置に該給水タンクをガイドするリブを、それぞれ前記給水タンクの装着方向に沿って設け、前記給水タンクの脱着時に、前記開閉部材のガイド壁と前記給水タンクのリブとが係合しつつスライドすることを特徴とする。
【００１４】
この給水タンクユニットでは、ガイド壁とリブとの係合によって給水タンクが給水タンク保持位置にガイドされるので、給水タンクを所定の保持位置に確実に装着させることができる。
【００１５】
請求項５記載の給水タンクユニットは、前記開閉部材が、前記給水タンクの着脱を検出する給水タンク検出手段を備えていることを特徴とする。
【００１６】
この給水タンクユニットでは、給水タンク検出手段によって開閉部材への給水タンクの装着状態を確認することができる。
【００１７】
請求項６記載の給水タンクユニットは、前記給水タンク検出手段が、前記開閉部材に設けられ給水タンク装着方向とは逆方向に付勢されると共に、挿入される給水タンクの一部に押し当てられて給水タンクと共にスライド移動する従動部材と、前記従動部材のスライド移動により可逆的に状態変化するスイッチとを備え、前記給水タンクが前記開閉部材内に装着された状態と、前記開閉部材から抜かれた状態とを検出することを特徴とする。
【００１８】
この給水タンクユニットでは、開閉部材への給水タンクの装着により、従動部材が移動してスイッチが作動するので、給水タンクの装着状態をスイッチの作動状態で容易に確認することができる。
【００１９】
請求項７記載の給水タンクユニットは、前記給水タンクの前記開閉部材への装着方向後端に、前記開閉部材の前記ユニット本体側への押し込み方向後方に向かって前記装着方向後方に突出長が増加する爪部を設けたことを特徴とする。
【００２０】
この給水タンクユニットでは、開閉部材をユニット本体側へ押し込むことにより爪部がユニット本体の一部に当接し、開閉部材の押し込む力により給水タンクが装着方向へ押し込まれ、給水タンクの確実な装着状態を確保することができる。
【００２１】
【発明の実施の形態】
以下、本発明に係る給水タンクユニットの好適な実施の形態について図面を参照して詳細に説明する。
なお、ここでは、給水タンクユニットを備えた加湿機能を有する加熱装置として、高周波加熱装置を例にとって説明する。
図１は本発明に係る高周波加熱装置の外観斜視図、図２は高周波加熱装置の開閉扉を開けた状態を示す概略的な正面図である。
本発明は、図１に示すように、高周波加熱装置１００に加湿を行うように備えられた蒸気発生部へ水供給を行うための給水タンク１７が収納された給水タンクユニット２０を、高周波加熱装置１００の側面に設け、給水タンク１７を確実に接続する構成に特徴を有しているが、まず、加熱装置としての高周波加熱装置１００の基本的な構成とその作用から説明する。
【００２２】
本高周波加熱装置１００は、図１及び図２に示すように、被加熱物を収容する加熱室１１に、高周波（マイクロ波）と蒸気との少なくともいずれかを供給して被加熱物を加熱処理する加熱調理器であって、高周波を発生する高周波発生部としてのマグネトロン１３と、加熱室１１内で蒸気を発生する蒸気発生部１５と、蒸気発生部１５への給水路に接続された脱着自在な給水タンク１７とを主要な構成要素として備えている。
【００２３】
加熱室１１は前面開放の箱形の本体ケース１０内部に形成され、本体ケース１０の前面には、加熱室１１の被加熱物取出口を開閉する透光窓１９ａ付きの開閉扉１９を設けている。開閉扉１９は、下端が本体ケース１０の下縁にヒンジ結合されることで、該下端を回転中心として上端が前後方向に移動して開閉可能となっている。加熱室１１と本体ケース１０との壁体面間には所定の断熱空間が確保されており、必要に応じてその空間には断熱材が装填される。
【００２４】
マグネトロン１３は、加熱室１１の下側の空間に配置され、マグネトロン１３より発生した高周波を受ける位置にはスタラー羽根２１を設けてある。このマグネトロン１３から発生した高周波を、回転駆動されるスタラー羽根２１に照射することにより、スタラー羽根２１によって高周波が加熱室１１内へ撹拌されながら供給するようになっている。なお、マグネトロン１３やスタラー羽根２１は、加熱室１１の底部に設ける構成に限らず、例えば加熱室１１の上面や側面側に設けた構成にもでき、また、スタラー羽根２１を設けず、ターンテーブルを設けて被加熱物側を回転させる構成であってもよい。
【００２５】
蒸気発生部１５は、加熱により蒸気を発生する水溜凹所を有した蒸発皿２３を備えている。この蒸発皿２３は、図示は省略するが、その下方に蒸発皿加熱ヒータと、このヒータの輻射熱を蒸発皿２３に向けて反射する断面略Ｕ字形の反射板とを有している。蒸発皿２３は、例えばステンレス製の細長板状のもので、加熱室１１の被加熱物取出口とは反対側の奥側底面に長手方向を仕切板２４に沿わせた向きで配設され、図示しない赤外線センサの温度検出走査の検出範囲外に設けている。なお、蒸発皿加熱ヒータとしては、ガラス管ヒータ、シーズヒータ、プレートヒータ等が利用できる。
【００２６】
ここで、図３に高周波加熱装置１００から給水タンク１７を取り出す手順を示した。図３（ａ）に示すように、高周波加熱装置１００の側面の手前側に設けられた押しボタン４１を高周波加熱装置１００の内側方向へ押下することで、図３（ｂ）に示すように、タンクケース扉部材３１とこれに載置された給水タンク１７が高周波加熱装置１００の側面から外方へ開く。そして、図３（ｃ）に示すように、給水タンク１７を高周波加熱装置１００の正面側へ引き出すことで給水タンク１７が取り出される。
【００２７】
また、給水タンク１７を収容する場合は、上記手順と反対に、タンクケース扉部材３１を開いた状態として、タンクケース扉部材３１に給水タンク１７をスライドさせて挿入し、給水タンク１７を奥まで挿入する。そして、タンクケース扉部材３１を高周波加熱装置１００の内側方向へ押し戻すことで、タンクケース扉部材３１が操作部材３５によって扉の閉状態で係止される。
【００２８】
上記高周波加熱装置１００に脱着自在に給水タンク１７を配設する給水タンクユニット２０の構造について以下に説明する。
図４に高周波加熱装置の側面に給水タンクを配設する給水タンクユニット２０の分解斜視図、図５に給水タンクユニット２０の開状態及び閉状態を示す斜視図、図６に給水タンクユニット２０の正面図を示した。
本高周波加熱装置１００の側面には、図４に示すように、加熱室内側の側壁板から高周波加熱装置１００の外方へ所定の空間を空けて側面断熱板２５が固設されており、この側面断熱板２５にユニット本体としてのタンクケース本体２７を、側面断熱板２５に対して所定の空間を空けて設けている。
【００２９】
このタンクケース本体２７には、図５に示すように、給水用のポンプ２９を取り付けてあり、開閉部材となるタンクケース扉部材３１の一方が支持軸３２を中心として開閉自在に軸支されている。また、タンクケース本体２７とタンクケース扉部材３１との間には、給水タンク１７がタンクケース扉部材３１に載置されて収容される。
なお、給水タンク１７は、扁平な直方体形状であって、図６に示すように、タンク本体５１と、取水筒５３及び給水口５５が固定されタンク本体５１に脱着自在なタンク蓋体５７とを有してなる。
【００３０】
この給水タンク１７は、タンクケース扉部材３１に挿入することにより、タンクケース扉部材３１の取水口５９に給水口５５が接続される。そして、この状態で給水用のポンプ２９は、タンク本体５１内の水を取水筒５３から吸い上げ、チューブ６１を介して供給ホース６３へ送り込み、供給ホース６３の終端に設けた蒸発皿２３（図２参照）へ送り込む。
【００３１】
さらに、図７にタンクケース本体２７とタンクケース扉部材３１との係合部分を示すように、タンクケース扉部材３１の支持軸３２とは反対側の他方には、タンクケース本体２７に対するロック部３３を有している。
また、タンクケース本体２７には、タンクケース扉部材３１と係合する操作部材３５が取り付けられ、この操作部材３５は、両端に形成された支持アーム３７によってタンクケース本体２７の上下部に回動可能に支持されている。そして、タンクケース本体２７とタンクケース扉部材３１との間には、操作部材３５によるロック部３３のロック状態を解除した際に、タンクケース扉部材３１を高周波加熱装置１００の外方へ飛び出させるようにタンクケース本体２７から離反する方向に付勢するねじりコイルバネ４３が設けられている。
【００３２】
ここで、図８は操作部材３５の形状を示す斜視図、図９は操作部材３５の取り付け構造を示す斜視図である。
図８及び図９に示すように、操作部材３５は、タンクケース本体２７に回転自在に軸支される支持アーム３７、タンクケース扉部材３１のロック部３３と係合してタンクケース本体２７とのロック状態を維持する係合部３９、及び押下動作によって係合部３９によるロック部３３のロック状態を解除する押しボタン４１を有している。
この操作部材３５の押しボタン４１の裏側には、タンクケース本体２７との間に複数のたる型コイルバネ４５を取り付けてある。これらたる型コイルバネ４５によって、押しボタン４１がその押下される方向と逆方向、つまり逆押下方向へ付勢されている。
【００３３】
図１０に図９のＡ−Ａ断面図を示した。
たる型コイルバネ４５は、そのコイル径が中央では太く、両端部に向かうに従って細くされており、押しボタン４１の押下によるバネ４５の座屈を防止している。
【００３４】
ここで、タンクケース扉部材３１と操作部材３５との係合の仕方を詳細に説明する。
図１１に各部材の係合を段階的に示した。まず、図１１（ａ）に示すように、開状態にあるタンクケース扉部材３１をタンクケース本体側に押し込むと、図１１（ｂ）に示すように、タンクケース扉部材３１のロック部３３に形成された当接面３３ａが操作部材３５の係合部３９に形成された当接面３９ａに当接する。さらに、タンクケース扉部材３１を押し込むと、当接面３３ａと当接面３９ａとが互いに摺動して操作部材３５がたる型コイルバネ４５の付勢力に抗して押下方向へ回動され、押しボタン４１が化粧パネル４７の外面よりも深く押し込まれた状態となる。
【００３５】
つまり、当接面３３ａ及び当接面３９ａは、押しボタン４１が化粧パネル４７の外面よりも深く押下される状態まで摺動し続けるだけの長さを有している。
その後、当接面３３ａと当接面３９ａとの摺動が完了すると、図１１（ｃ）に示すように、操作部材３５がたる型コイルバネ４５の付勢力によって逆方向に回動され、ロック部３３に形成された係合面３３ｂと係合部３９に形成された係合面３９ｂとが互いに係合し、タンクケース扉部材３１が閉状態に維持されてロック状態となる。
【００３６】
次に、給水タンクユニット２０の詳細な構造とその作用を説明する。
まず、給水タンク１７をタンクケース扉部材３１の所定の保持位置へ装着するとき、及び保持位置から引き抜くときに、クリック感を伴って着脱される構造について説明する。
図１２に給水タンクユニットの詳細構造を説明する給水タンクユニットの概略分解斜視図、図１３に給水タンクユニットの構造を示す断面図を示した。
図１２及び図１３に示すように、この給水タンク１７が挿入されて装着されるタンクケース扉部材３１は、収納空間Ｓを形成する上面部６５及び底面部６７を有し、これら上面部６５及び底面部６７には、給水タンク１７の側面側に当接して給水タンク１７の着脱動作をガイドするガイド壁６５ａ、６７ａを給水タンク１７の装着方向に沿って設けてある。
給水タンク１７のタンク蓋体５７には、タンクケース扉部材３１のガイド壁６５ａに当接して給水タンク１７を収納空間Ｓ内の所定の保持位置へガイドするリブ５７ａを給水タンク１７の装着方向に沿って設けてある。
また、タンクケース扉部材３１のガイド壁６５ａ及び給水タンク１７のタンク蓋体５７には、給水タンク１７の収納空間Ｓにおける所定の保持位置への着脱過程で、互いに乗り越えて係止される水平断面で三角形状の突起５７ｂ，６５ｂが形成されている。
なお、タンクケース扉部材３１に対して給水タンク１７を装着することで、給水タンク１７がタンクケース扉部材３１の補強体となり、タンクケース扉部材３１単体の状態では剛性が低く、扉を押すことで閉まりにくい箇所（特に端部６６）でも閉まりやすくなる。
【００３７】
上記構成の給水タンクユニット２０では、図１４に給水タンク１７の挿入の様子を示すように、タンクケース扉部材３１のガイド壁６５ａ，６７ａの間の収納空間Ｓに、まず図１４（ａ）に示すように、給水タンク１７を底面部６７の上に載置して、図１４（ｂ）に示すように取水口５９に向けてスライドさせて挿入する。このとき、給水タンク１７は、ガイド壁６５ａ，６７ａが弾性変形により撓むことで、収納空間Ｓ内で挟み込まれて挿入方向に直交する水平面内で位置規制される。
【００３８】
ここで、上記給水タンク１７の装着動作をより詳細に説明する。図１５は給水タンク１７の装着時における給水タンク１７とガイド壁６５ａと取水口５９との位置関係を示す説明図である。
図１５（ａ）に示すように、給水タンク１７を底面部６７の上に載置した状態から挿入すると、図１５（ｂ）に示すように、タンク蓋体５７に設けた突起７５ｂが、ガイド壁６５ａに設けた突起６５ｂに当接する位置で挿入抵抗が増加し、一旦挿入動作が差し止められる。なお、このときには、ガイド壁６５ａがタンク蓋体５７のリブ５７ａに当接して水平面内の位置決めがなされる。この状態から、さらに給水タンク１７を取水口５９に向けて押し込むと、図１５（ｃ）に示すように、ガイド壁６５ａの弾性変形により突起５７ｂと６５ｂとが互いに乗り越えて、しかも、後戻りできないようにそれぞれの突起５７ｂ，６５ｂの平坦な後端面同士で係合する。この突起５７ｂ，６５ｂが乗り越える際、即ち、図１５（ｂ）の状態から（ｃ）の状態になるときに、クリック感が発生し、給水タンク１７が確実に所定の保持位置に装着されるようになる。
【００３９】
次に、給水タンク１７が挿入され所定の保持位置に装着されているか否かを検出する給水タンク検出手段について説明する。
図１６に給水タンク検出手段の外観を示す拡大斜視図、図１７に給水タンク検出手段を構成する従動部材の形状を示す斜視図、図１８に給水タンク検出手段の動作を示す説明図を示した。
【００４０】
図１６に示すように、タンクケース扉部材３１は、その上部に、給水タンク１７の着脱を検出する給水タンク検出手段７１を有している。
この給水タンク検出手段７１は、給水タンク１７の装着方向に沿ってスライド可能に設けられた従動部材７３と、従動部材７３がスライド移動することにより、この従動部材７３によって可逆的に状態変化するスイッチ７５とを備えている。従動部材７３の後端には、タンクケース扉部材３１の上面固定部６５ｃに一端が連結された引張バネ７９の他端が連結され、従動部材７３は、引張バネ７９の付勢力によって、給水タンク１７の装着方向後方へ向かって引っ張られている。
【００４１】
この従動部材７３は、図１７に示すように、主に、収納空間Ｓ側へ突出する係止片７３ａと、先端から基部にかけて下方へ厚みの増加する下側摺動面を有する押下片７３ｂを有しており、引張バネ７９を取り付けるコイル係止部７３ｃは、押下片７３ｂとは反対側の端部に設けてある。
また、従動部材７３の押下片７３ｂは、スイッチ７５を覆うように設けてあり、仮に水漏れが生じた場合でも、スイッチ７５に被水することが防止される。
【００４２】
ここで、従動部材７３によるスイッチ動作を、図１８を用いて説明する。図１８（ａ）に示すように、給水タンク１７が前述したクリック感を生じて突起５７ｂ，６５ｂ同士が乗り越える前の状態では、係止片７３は引張バネ７９によって給水タンク１７の装着方向とは逆方向に引かれている。この状態では、スイッチ７５の押下部７５ａは上昇位置のままで、スイッチ７５はＯＦＦ状態となる。
【００４３】
次に、この状態から、給水タンク１７を装着方向に押して、突起５７ｂ，６５ｂ同士が乗り越えた状態となると、図１８（ｂ）に示すように、係止片７３ａが、収納空間Ｓ内へ装着される給水タンク１７の給水口５５が形成された突出部７７によって押圧され、従動部材７３をスイッチ７５側へと移動させる。従動部材７３が給水タンク１７によってスイッチ７５側へ移動することにより、押下片７３ｂの下側摺動面の厚み変化によって、スイッチ７５の押下部７５ａが押下され、スイッチ７５をＯＮ状態にする。
【００４４】
また、給水タンク１７がタンクケース扉部材３１の収納空間Ｓから引き出されると、従動部部材７３は引張バネ７９によって給水タンク１７の装着方向後方へ移動し、押下片７３ｂによるスイッチ７５の押下部７５ａの押下を解除し、スイッチ７５をＯＦＦ状態にする。ここで、スイッチ７５がＯＦＦ状態であるときは、給水タンク１７が接続されていないものと判断し、高周波加熱装置１００の加熱制御が制限される。
【００４５】
このように、給水タンク検出手段７１によって、給水タンク１７が収納空間Ｓ内の所定の保持位置に装着されているか否かを確実に検出することができ、給水タンク１７の未装着時や、給水タンク１７の取水口５９との接続が不完全な状態であるときに、給水用のポンプを動作させることが未然に防止できる。これにより、給水経路に気泡が混入したり、液だれが生じることを確実に防止できる。
【００４６】
次に、給水タンク１７のタンクケース扉部材３１への挿入を確実に行わせる構造について説明する。
図１９はタンクケース本体へ給水タンクを装着方向へ押し込む様子を示す説明図である。
給水タンク１７は、図１９に示すように、そのタンクケース扉部材３１への装着方向後端に、給水タンク１７の幅方向に延設された爪部６９を備えている。この爪部６９は、給水タンク１７をタンクケース扉部材３１へ装着した状態において、タンクケース扉部材３１のタンクケース本体２７側への押し込み方向後方に向かって、給水タンク１７のタンクケース扉部材３１への装着方向後方に突出長が増加するように傾斜部６９ａを有して形成されている。
【００４７】
このように、給水タンク１７の装着方向後端に爪部６９を形成することにより、給水タンク１７がその装着方向へ自動的に押し込まれることになる。即ち、図１９（ａ）に示すように、給水タンク１７を載せたタンクケース扉部材３１を、タンクケース本体２７へ開いた状態から押し込むと、給水タンク１７は、図１９（ｂ）に示すように、その後端に形成された爪部６９の傾斜部６９ａがタンクケース本体２７の壁部２７ａに当接する。これにより、タンクケース扉部材３１内で給水タンク１７が装着方向前方へ押し込まれ、図１９（ｃ）に示すように、タンクケース扉部材３１の所定の保持位置に確実に装着される。
【００４８】
例えば、タンクケース扉部材３１への給水タンク１７の挿入量が不足して、装着が不十分な状態であったとしても、タンクケース扉部材３１をタンクケース本体２７側へ押し戻すと、自動的に給水タンク１７が挿入されて、所定の保持位置に給水タンク１７が配置される。従って、タンクケース本体２７側の取水口５９との接続が不十分のまま給水タンク１７がタンクケース本体２７内に収納されることがなくなり、給水タンク１７からの水漏れ等を一層確実に防止できる。また、給水タンク１７をタンクケース扉部材３１に挿入してタンクケース本体２７に押し戻すといった簡単な操作で給水路が確実に接続されるため、高周波加熱装置１００の使い勝手を向上できる。
【００４９】
以上説明した給水タンクユニット２０においては、タンクケース扉部材３１へ給水タンク１７を着脱する際に、互いに乗り越えて係止する突起５７ｂ，６５ｂを設けたので、タンクケース扉部材３１への給水タンク１７の装着を突起５７ｂ，６５ｂ同士の係止によりクリック感を伴って確実に行わせることができ、装着状態を簡単に確認することができる。これにより、例えば、高周波加熱装置１００の狭隘な隙間に給水タンク１７を収納する構造であるために給水タンク１７の収納及びその確認が難しい場合でも、給水タンク１７の給水口５５を高周波加熱装置１００側の取水口５９へ確実に接続することができ、高周波加熱装置１００内部へ漏水させることなく水の供給を行い、高周波加熱装置１００の加湿機能を良好に発揮させることができる。
【００５０】
また、ガイド壁６５ａとリブ５７ａとの係合によって、給水タンク１７が収納空間Ｓ内の所定の保持位置にガイドされつつ挿入されるので、給水タンク１７を安定して装着させることができ、取水口５９に対して給水口５５を斜め方向から挿入することも防止され、接続部位の破損を未然に防止することができる。
さらに、給水タンク検出手段７１によれば、タンクケース扉部材３１への給水タンク１７の装着により移動する従動部材７３によってスイッチ７５を作動させ、装着された給水タンク１７を検出するので、給水タンク１７の装着状態をスイッチ７５の作動状態で容易に確認することができる。
【００５１】
また、給水タンク１７の収納されたタンクケース扉部材３１をタンクケース本体２７側へ押し込むことにより、給水タンク１７の爪部６９の傾斜部６９ａがタンクケース本体２７の壁部２７ａに当接し、タンクケース扉部材３１の押し込む力により給水タンク１７がタンクケース扉部材３１への装着方向へ押し込まれるので、給水タンク１７を確実に装着することができる。
【００５２】
なお、上記の例では、タンクケース本体２７の壁部２７ａに当接する傾斜部６９ａを爪部６９に形成したが、タンクケース本体２７側に同様の傾斜部を形成した構成であってもよい。
【００５３】
以上のようにして組み立てた高周波加熱装置１００によれば、給水タンク１７を高周波加熱装置１００から脱着自在に配設したことにより、水交換が容易にでき、衛生的な水供給が行えるようになる。また、給水タンク１７を高周波加熱装置１００の側面に配置したことにより、高周波加熱装置１００の正面側からの加熱操作に何ら影響を及ぼすことがなく、また、給水タンク１７の脱着動作も、タンクケース扉部材３１の回転軸を高周波加熱装置１００の奥側に設けたことで、タンクケース扉部材３１が正面側で開くこととなり、正面側からの操作性のよい抜き差し動作で行える。
【００５４】
なお、給水タンク１７は、上記したように高周波加熱装置１００の一方の側面に配置する以外にも、反対側の側面、或いは上面、下面のいずれの位置に設けることができる。その場合にも、高周波加熱装置１００の外方へ給水タンク１７を引き出してから正面側に抜き差しすることで操作性のよい脱着動作が行える。
また、給水タンク１７を高周波加熱装置１００の本体ケース１０内にコンパクトに収容することで、高周波加熱装置１００の筐体サイズを特に拡大することなく、設置面積の増加が防止される。
【００５５】
なお、上記実施形態では、給水タンクユニット２０が組み付けられた加熱装置として高周波加熱装置を例にとり説明したが、この給水タンクユニット２０は、高周波加熱装置に限らず、これ以外の各種機器に適用することができる。
【００５６】
【発明の効果】
以上、詳細に説明したように、本発明に係る給水タンクユニットによれば、開閉部材へ給水タンクを着脱する際に互いに乗り越えて係止する突起を設けたので、開閉部材への給水タンクの装着を突起同士の係止によって確実に行わせることができると共に、装着状態を容易に確認することができる。これにより、給水タンクの収納及びその装着確認が難しい場合でも、給水タンクの給水口を加熱装置の取水口へ確実に接続することができ、加熱装置側へ漏水なく水の供給を行い、加熱装置の加湿機能を良好に発揮させることができる。
【図面の簡単な説明】
【図１】本発明に係る高周波加熱装置の外観斜視図である。
【図２】高周波加熱装置の開閉扉を開けた状態を示す概略的な正面図である。
【図３】高周波加熱装置から給水タンクを取り出す手順を示す説明図である。
【図４】高周波加熱装置の側面に給水タンクを配設した構成の分解斜視図である。
【図５】給水タンクユニットの開状態及び閉状態を示す斜視図である。
【図６】給水タンクユニットの正面図である。
【図７】収納ユニット及び操作部材を説明する収納ユニットの一部の斜視図である。
【図８】収納ユニットの操作部材の形状を示す斜視図である。
【図９】収納ユニットの操作部材の取り付け構造を示す斜視図である。
【図１０】操作部材の押しボタンの配設構造を説明する収納ユニットの図９におけるＡ−Ａ断面図である。
【図１１】タンクケース扉部材と操作部材との係合の仕方を説明する断面図である。
【図１２】給水タンクユニットの詳細構造を説明する給水タンクユニットの概略分解斜視図である。
【図１３】給水タンクユニットの構造を示す断面図である。
【図１４】給水タンクをタンクケース扉部材に挿入する様子を示す説明図である。
【図１５】給水タンクの装着時における給水タンクとガイド壁と取水口との位置関係を示す説明図である。
【図１６】給水タンク検出手段の外観を示す拡大斜視図である。
【図１７】給水タンク検出手段を構成する従動部材の形状を示す斜視図である。
【図１８】給水タンク検出手段の動作を示す説明図である。
【図１９】タンクケース本体へ給水タンクを装着方向へ押し込む様子を示す説明図である。
【符号の説明】
１７　給水タンク
２０　給水タンクユニット
２７　タンクケース本体（ユニット本体）
３１　タンクケース扉部材（開閉部材）
３２　支持軸
３３　ロック部
３３ａ，３９ａ　当接面
３３ｂ，３９ｂ　係合面
３５　操作部材
３９　係合部
４１　押しボタン
５７ａ　リブ
５７ｂ，６５ｂ　突起
６５ａ，６７ａ　ガイド壁
６９　爪部
６９ａ　傾斜部
７１　給水タンク検出手段
７３　従動部材
７５　スイッチ
１００　高周波加熱装置（加熱装置）
【図１】
2004093069.tif 000003
【図２】
2004093069.tif 000004
【図３】
2004093069.tif 000005
【図４】
2004093069.tif 000006
【図５】
2004093069.tif 000007
【図６】
2004093069.tif 000008
【図７】
2004093069.tif 000009
【図８】
2004093069.tif 000010
【図９】
2004093069.tif 000011
【図１０】
2004093069.tif 000012
【図１１】
2004093069.tif 000013
【図１２】
2004093069.tif 000014
【図１３】
2004093069.tif 000015
【図１４】
2004093069.tif 000016
【図１５】
2004093069.tif 000017
【図１６】
2004093069.tif 000018
【図１７】
2004093069.tif 000019
【図１８】
2004093069.tif 000020
【図１９】
2004093069.tif 000021